(57)【特許請求の範囲】
【請求項１】
パチンコ球が連続して供給される２条の供給通路と、前記２条の供給通路の下方に位置し該供給通路の最先端のパチンコ球を受けることが可能な棚部と、複数の凹凸部が形成された２つのカム板を有し該カム板の凸部が前記棚部から上方へ突出するように配置された回転体と、前記回転体を回転するモータとを備え、前記モータの駆動により前記回転体を１／２ピッチ単位で回転制御して前記２条の供給通路からパチンコ球を１個ずつ払い出すようにしたパチンコ球の払出装置であって、
前記回転体の各カム板の凹部と凸部を前記２条の供給通路の終端に交互に位置するように形成して、一方の供給通路の最先端のパチンコ球を前記凹部に落入させて前記棚部で受けると共に、他方の供給通路の最先端のパチンコ球を前記凸部で受けるようにし、且つ前記凹部又は凸部で受けられたパチンコ球は回転体のほぼ中心を通る直線上に位置するようにし、
前記モータの駆動により回転体を１／２ピッチ回転させると前記凹部に位置するパチンコ球が凸部に位置する後続のパチンコ球と分離するように構成したことを特徴とするパチンコ球の払出装置。
【発明の詳細な説明】
【０００１】
【産業上の利用分野】
本発明は、パチンコ球が連続して供給される２条の供給通路を有し、その２条の供給通路から交互にパチンコ球を１個ずつ払い出すようにしたパチンコ球の払出装置に関するものである。
【０００２】
【従来の技術】
従来、この種のパチンコ球の払出装置として例えば図７および図８に示すようなスプロケットを用いたものが知られている。このパチンコ球の払出装置は、パチンコ球が連続して供給される２条の供給通路１００ａ，１００ｂの終端に、外周にパチンコ球が嵌入し得る複数の凹部１０１を有するスプロケット１０２ａ，１０２ｂをそれぞれ配置し、両スプロケット１０２ａ，１０２ｂをモータ１０３の駆動により１／２ピッチ単位で回転制御することにより２条の供給通路１００ａ，１００ｂから交互にパチンコ球を１個ずつ払い出すようにされている。
【０００３】
【発明が解決しようとする課題】
上記した従来のパチンコ球の払出装置は、２つのスプロケット１０２ａ，１０２ｂが互いに１／２ピッチ単位で回転制御されるため、両スプロケット１０２ａ，１０２ｂのいずれか一方の凹部１０１が必ずそのスプロケットに対応する供給通路１００ａまたは１００ｂの終端から１／２ピッチずれた中間点で停止することになる。このため例えば図７に示すように一方のスプロケット１０２ａが中間点で停止してその凹部１０１に払い出し直前のパチンコ球Ｂがあると、該パチンコ球Ｂ1 に対して供給通路１００ａで待機するパチンコ球が連続して連なった状態となり、その球圧によってスプロケット１０２ａに前進回転方向の力が掛かることになるため、例えば常時通電してブレーキ電流を流しておくとか、ウォームギャを介して制動機能を付加する等の余分な手間を必要とし構造が複雑になったりコストが高くつくという問題点があった。
【０００４】
本発明は、従来技術の有するこのような問題点にかんがみてなされたものであり、その目的とするところは、供給通路に待機するパチンコ球の球圧を払い出し直前のパチンコ球に掛けないようにすることにより、構造的な弱点を省いてコストを安くすると共に、小型でかつ高性能なパチンコ球の払出装置を提供しようとするものである。
【０００５】
【課題を解決するための手段】
上記目的を達成するために、本発明のパチンコ球の払出装置は、パチンコ球が連続して供給される２条の供給通路の終端に、複数の凹凸部が形成された２つのカム板を有する回転体と該回転体を回転するモータとを設け、前記モータの駆動により前記回転体を１／２ピッチ単位で回転制御して前記２条の供給通路からパチンコ球を１個ずつ払い出すようにしたパチンコ球の払出装置であって、前記回転体の各カム板の凹部と凸部を前記２条の供給通路の終端に交互に位置するように形成して、一方の供給通路の最先端のパチンコ球を前記凹部で受けると共に、他方の供給通路の最先端のパチンコ球を前記凸部で受けるようにし、且つ前記凹部又は凸部で受けられたパチンコ球は回転体のほぼ中心を通る直線上に位置するようにし、前記モータの駆動により回転体を１／２ピッチ回転させると前記凹部に位置するパチンコ球が凸部に位置する後続のパチンコ球と分離するように構成したことを特徴とする。
【０００６】
【作用】
２条の供給通路でそれぞれ待機している先端のパチンコ球は、回転体のほぼ中心を通る直線上でカム板の凹部又は凸部のいずれかに乗って支持されることになる。このため、２条の供給通路でそれぞれ待機しているパチンコ球の球圧は回転体のほぼ回転軸心に掛かり、該回転体に直進回転方向の力が掛からないので、制動機能を付加する必要がなくなる。
【０００７】
【実施例】
以下、本発明の一実施例について図面を参照して説明する。図１は本発明に係るパチンコ球の払出装置を備えたパチンコ機の裏面を示すものである。この場合のパチンコ球の払出装置は、景品球払出装置として使用される。
【０００８】
図１において、１はパチンコ機の前面枠、２は前面枠１の裏面に取付枠を介して着脱自在に装着される遊技盤、３は遊技盤２の裏面に開閉可能に装着される合成樹脂製の機構板である。この機構板３の遊技盤２裏面と相対する前面下部に入賞球集合部４が形成されており、その流下通路の途中に入賞球検出器５が設けられている。この入賞球検出器５からの信号は図示しない製゛挙回路に送られて後述する景品球払出装置９の動作を制御する。
【０００９】
一方、機構板３の裏面上部にはパチンコ球を貯留する景品球タンク６が設けられ、該景品球タンク６の下方にパチンコ球を整列して流下させる誘導樋７が設けられている。また、誘導樋７の下流端に垂直状の２条の供給樋８ａ，８ｂが連設され、この供給樋８ａ，８ｂの流下端に景品球払出装置９が接続される。さらに、景品球払出装置９の下方には払い出されたパチンコ球を機前の球受皿に導く排出樋１０が設けられている。
【００１０】
次に、図２ないし図５を参照して本実施例に係る景品球払出装置９の構成について説明する。景品球払出装置９は、図２および図３に示すように機構板３に取付けるケース体１１を有する。ケース体１１は、一側面が開口した中空状の箱枠１１ａと、該箱枠１１ａの内部に嵌装する通路構成枠１１ｂと、箱枠１１ａの開口を塞ぐように取付けられるモータ取付枠１１ｃとの三部材により大略構成される。
【００１１】
前記箱枠１１ａの上面には横長の開口１２ａが形成されて前記２条の供給通路８ａ，８ｂの流下端と連通するようになっている。また、箱枠１１ａの下面にはパチンコ球の落下口１２ｂが形成されている。さらに、箱枠１１ａの内部には供給樋８ａ，８ｂを流下してきたパチンコ球を斜め下方に向けてガイドするガイド部１３が突設されている。そして、このガイド部１３と前記通路構成枠１１ｂとにより箱枠１１ａの内部に供給樋８ａ，８ｂとそれぞ連通する２条の供給通路１４ａ，１４ｂが形成される。
【００１２】
前記通路構成枠１１ｂは、パチンコ球の球径とほぼ等しい距離を隔ててガイド部１３と平行して対向するように円弧状に弯曲した通路板１５と、該通路板１５の前面側に直交状に設けられる縦隔壁板１６，１６とを一体に有する。また、通路板１５の下方には供給通路１４ａ，１４ｂの最先端のパチンコ球を受けることが可能な棚部１７が一体に形成されている。なお、２条の供給通路１４ａ，１４ｂは、開口１２からほぼ横Ｕ字状に緩やかに屈曲して上方に連続するパチンコ球の球圧を効果的に逃がすような構成となっている。
【００１３】
一方、前記モータ取付板１１ｃの外側には、パルス信号があるごとに所定角度回転する駆動モータとしてのステッピングモータ１８がビス１９，１９によって取付けられ、そのモータ軸２０はモータ取付板１１ｃのほぼ中央に穿設した透孔２１から箱枠１１ａの内部に突出して位置し、その突出端に、外周に２条の供給通路１４ａ，１４ｂのそれぞれ終端に対向する２つのカム板２２および２３を有する回転体２４が固着されている。
【００１４】
前記回転体２４は、棚部１７の下方の案内部に位置し、かつ一方の端部に圧入した軸２５を箱枠１１ａの軸受部２６に遊挿して回転自在に支持される。また、前記両カム板２２，２３は、パチンコ球が落下可能な例えば４個の凹部２２ａ，２３ａと、上面にパチンコ球が乗る４個の凸部２２ｂ，２３ｂとが等間隔で交互に形成されており、そのそれぞれの凸部２２ｂ，２３ｂが前記棚部１７に形成された開口溝２７に挿入されて棚部１７の上方に突出するようになっている。一方、両カム板２２，２３の凹部２２ａ，２３ａはその底面が棚部１７の上面より低い位置となっている。
【００１５】
また、両カム板２２，２３は例えば一方のカム板２２の凹部２２ａが一方の供給通路１４ａの終端に対向しているときは他方のカム板２３の凸部２３ｂが他方の供給通路１４ｂの終端に対向するように互いに１／２ピッチずれた位置配置となっている。さらに、両カム板２２，２３の各凹部２２ａ，２３ａおよび凸部２２ｂ，２３ｂは２条の供給通路１４ａ，１４ｂのそれぞれ終端に対向するとき、回転体２４のほぼ回転軸心を通る直線上に位置するように構成されている。
【００１６】
なお、前記回転体２４の端部外周には周面に８個の透溝２８を有する検知ホイール２９が形成されている。一方、箱枠１１ａの内部には検知ホイール２９に関連ずけて払い出されたパチンコ球を検出するセンサ３０が設けられている。このセンサ３０は、一定の間隔を離して相対向する投光部３０ａと受光部３０ｂとを有し、その投光部３０ａと受光部３０ｂとの間に検知ホイール２９の周面が臨まれている。そして、投光部３０ａからの光が透溝２８を通過して受光部３０ｂに受光されることによってパチンコ球の検出信号を制御回路に送出する。一方、制御回路では払い出されたパチンコ球が所定数に達したことを判別して払出終了信号を出力し、ステッピングモータ１８の回転を停止させるようになっている。
【００１７】
以上説明した本発明の一実施例に係る景品球払出装置の動作について図６を参照して説明する。景品球タンク６のパチンコ球は誘導樋７、２条の供給樋８ａ，８ｂを介して景品球払出装置９の２条の供給通路１４ａ，１４ｂに連続的に供給される。
【００１８】
しかして、図６（ａ）に示すように一方の供給通路１４ａの最先端のパチンコ球Ｂが一方のカム板２２の凹部２２ａに落入して棚部１７で受けられ、他方の供給通路１４ｂの最先端のパチンコ球１Ｂが他方のカム板２３の凸部２３ｂに乗っている状態のとき、入賞球検出器５が入賞球を検出すると、その検出信号によりステッピングモータ１８が駆動して回転体２４を１／２ピッチ（４５度）ずつ回転制御する。
【００１９】
そして、回転体２４が１／２ピッチ回転すると図６（ｂ）に示すようにカム板２２の凹部２２ａに位置するパチンコ球Ｂが後続のパチンコ球Ｂ1 と分離されて払い出し直前の位置まで移動し、同時に後続のパチンコ球Ｂ1 が凸部２２ｂで受けられる。一方、他方のカム板２３の凸部２３ｂに乗つたパチンコ球１Ｂはその凸部２３ｂの移動によつて凹部２３ａに落入して棚部１７で受けられる。
【００２０】
この図６（ｂ）の状態からさらに回転体２４が１／２ピッチ回転すると一方のカム板２２の凹部２２ａに位置する払い出し直前のパチンコ球Ｂは図６（ｃ）に示すように下方に落下して払い出され、同時に凸部２２ｂに乗った後続のパチンコ球Ｂ1 が凹部２３ｂ1 に落入して棚部１７で受けられる。一方、他方のカム板２３の凹部２３ａに位置するパチンコ１Ｂが後続のパチンコ球１Ｂ1 と分離された払い出し直前の位置まで移動し、同時に後続のパチンコ球１Ｂ1 が凸部２３ｂ1 に乗って受けられる。
【００２１】
このようにして回転体２４の１／２ピッチずつの回転によって２条の供給通路１４ａ，１４ｂで待機するパチンコ球が１個ずつ交互に払い出されることになり、所定数のパチンコ球が払い出されるとステッピングモータ１８の駆動を停止させるもので、これによって入賞球検出器５の検出信号ごとに所定数のパチンコ球が正確に払い出される。
【００２２】
【発明の効果】
本発明に係るパチンコ球の払出装置は、以上説明したように構成されているので、以下に記載されるような効果を奏する。
【００２３】
複数の凹凸部が形成された２つのカム板を有する回転体を、その各カム板の凹部と凸部が２条の供給通路の終端に交互に位置するように配置すると共に、２条の供給通路の最先端のパチンコ球を回転体のほぼ中心を通る直線上にて各カム板の凹部又は凸部で受ける構成を採用することによって、２条の供給通路で待機しているパチンコ球の球圧を回転体のほぼ回転軸心で受けることが可能となり、該回転体に前進回転方向の力が掛からないようにすることができるので、制動機能を付加する等の余分な手間を全く必要とせず、装置全体を小型にすることができると共に、コストを安くすることができる。
【００２４】
そして、回転体の１／２ピッチ回転ごとに２条の供給通路の最先端のパチンコ球を各カム板の凹部又は凸部で交互に受けて後続のパチンコ球と完全に分離させながら払い出すようにすることにより、パチンコ球を１個ずつ確実に払い出すことができる。
【図面の簡単な説明】
【図１】本発明のパチンコ球の払出装置が適用されるパチンコ機の裏面図である。
【図２】本発明のパチンコ球の払出装置の斜視図である。
【図３】図２の分解斜視図である。
【図４】図２の要部の縦断側面面である。
【図５】図２の要部の横断平面図である。
【図６】（ａ），（ｂ），（ｃ）は本実施例の作用説明図である。
【図７】従来のパチンコ球の払出装置の縦断側面図である。
【図８】従来のパチンコ球の払出装置の横断平面図である。
【符号の説明】
９                  パチンコ球の払出装置
１４ａ，１４ｂ      ２条の供給通路
１８                ステッピングモータ
２２，２３          カム板
２２ａ，２３ａ      凹部
２２ｂ，２３ｂ      凸部
２４                回転体
【図１】
0003877338.tif 000002
【図２】
0003877338.tif 000003
【図３】
0003877338.tif 000004
【図４】
0003877338.tif 000005
【図５】
0003877338.tif 000006
【図６】
0003877338.tif 000007
【図７】
0003877338.tif 000008
【図８】
0003877338.tif 000009